(57)【要約】【課題】重量物が混じらない処理物を間歇的に処理する場合であっても、コンパクトで無駄なエネルギを消費することもない風力選別装置を提供することである。【解決手段】ケーシング１の側壁１ａ上部に設けた処理物の投入口３の下側に設けられた空気噴射ノズル６の前方に、水平な回動軸の回りに回動可能な回動板７を設け、この回動板７を、ノズル６から空気を噴射するときは、噴射される空気を投入口３から落下する処理物に導くようにノズル６に向けて回動させ、ノズル６から空気を噴射しないときは、ノズル６からの空気噴射を停止して、投入口３から落下する処理物を軽量物の回収口４ｂに導くように、回収口４ｂに向けて斜め下向きに回動させることにより、コンパクトな設計で、かつ、無駄なエネルギを消費することもなく、重量物が混じらない処理物を間歇的に処理できるようにした。【選択図】図１
2005246236.tif 000002
【特許請求の範囲】
【請求項１】
ケーシングの上部に設けられた処理物の投入口と、ケーシングの底部に分岐させて設けられた複数の回収口との間に、側方から空気を噴射する空気噴射口を設け、この空気噴射口から噴射される空気の風力で、前記投入口から落下する処理物を前記複数の回収口に選別して回収する風力選別装置において、前記空気噴射口の前方に水平軸の回りに回動可能な回動板を設け、この回動板を、前記空気噴射口から空気を噴射するときは、噴射される空気を前記投入口から落下する処理物に導くように空気噴射口に向けて回動させ、前記空気噴射口から空気を噴射しないときは、前記投入口から落下する処理物を所定の回収口に導くように、この回収口に向けて斜め下向きに回動させるようにしたことを特徴とする風力選別装置。
【発明の詳細な説明】
【技術分野】
【０００１】
本発明は、廃棄物等の処理物を風力で選別する風力選別装置に関する。
【背景技術】
【０００２】
廃棄物等の処理物の選別に用いられる風力選別装置には、ケーシングの上部に設けられた処理物の投入口と、その下方に分岐させて設けられた複数の回収口との間に、側方から空気を噴射する空気噴射口を設け、この空気噴射口から噴射される空気の風力で、投入口から落下する処理物を各回収口に選別して回収するようにしたものがある（例えば、特許文献１、２参照。）。
【０００３】
特許文献１に記載されたものでは、空気噴射口を上下２段に設け、投入口から落下する処理物のうち、風力の影響を受けにくい重量物を直下近くの回収口に回収し、風力の影響を受けやすい軽量物を遠方の回収口に回収するようにしている。また、特許文献２に記載されたものでは、斜め上方に向けた空気噴射口に対峙させて斜め上向きの傾斜板を設け、噴射される空気を投入口から落下する処理物に導くようにしている。
【０００４】
【特許文献１】特開平４−２７４７６号公報（第２−３頁、第１図）
【特許文献２】特開平１１−３３４９１号公報（第２−４頁、第１図）
【発明の開示】
【発明が解決しようとする課題】
【０００５】
上述したような風力選別装置では、例えば、缶や瓶等の重量物が混じったプラスチック廃棄物を処理した後に、重量物が混じらない紙容器等の廃棄物を処理することがある。このように重量物が混じらない廃棄物を間歇的に処理するときには、従来の風力選別装置では、重量物の回収口を傾斜板等の切換ダンパを用いて閉塞するか、無駄に空気噴射口から空気を噴射する必要があった。切換ダンパを用いる場合は、再び重量物が混じった廃棄物を処理するときに、切換ダンパを選別に支障のない場所に退避させる必要もあった。このため、切換ダンパの退避場所を確保するために風力選別装置が大型化したり、運転に無駄なエネルギを消費したりする問題がある。
【０００６】
そこで、本発明の課題は、重量物が混じらない処理物を間歇的に処理する場合であっても、コンパクトで無駄なエネルギを消費することもない風力選別装置を提供することである。
【課題を解決するための手段】
【０００７】
上記の課題を解決するために、本発明は、ケーシングの上部に設けられた処理物の投入口と、ケーシングの底部に分岐させて設けられた複数の回収口との間に、側方から空気を噴射する空気噴射口を設け、この空気噴射口から噴射される空気の風力で、前記投入口から落下する処理物を前記複数の回収口に選別して回収する風力選別装置において、前記空気噴射口の前方に水平軸の回りに回動可能な回動板を設け、この回動板を、前記空気噴射口から空気を噴射するときは、噴射される空気を前記投入口から落下する処理物に導くように空気噴射口に向けて回動させ、前記空気噴射口から空気を噴射しないときは、前記投入口から落下する処理物を所定の回収口に導くように、この回収口に向けて斜め下向きに回動させる構成を採用した。
【０００８】
すなわち、空気噴射口の前方に水平軸の回りに回動可能な回動板を設け、この回動板を、空気噴射口から空気を噴射するときは、噴射される空気を投入口から落下する処理物に導くように空気噴射口に向けて回動させ、空気噴射口から空気を噴射しないときは、投入口から落下する処理物を所定の回収口に導くように、この回収口に向けて斜め下向きに回動させることにより、コンパクトな設計で、かつ、無駄なエネルギを消費することもなく、重量物が混じらない処理物を間歇的に処理できるようにした。
【発明の効果】
【０００９】
本発明の風力選別装置は、空気噴射口の前方に水平軸の回りに回動可能な回動板を設け、この回動板を、空気噴射口から空気を噴射するときは、噴射される空気を投入口から落下する処理物に導くように空気噴射口に向けて回動させ、空気噴射口から空気を噴射しないときは、投入口から落下する処理物を所定の回収口に導くように、この回収口に向けて斜め下向きに回動させるようにしたので、無駄なエネルギを消費することなく、重量物が混じらない処理物を間歇的に処理することができる。また、回動板は空気噴射口から噴射された空気の整流板としての機能と、落下する処理物を所定の回収口に導くシュートとしての機能とを併せ持つので、装置を小型化することができる。
【発明を実施するための最良の形態】
【００１０】
以下、図面に基づき、本発明の実施形態を説明する。この風力選別装置は、図１に示すように、ケーシング１の側壁１ａの上部に、選別される廃棄物を供給するベルトコンベア２の排出端が挿入された投入口３が設けられ、ケーシング１の底部に分岐した２つの回収口４ａ、４ｂが設けられている。投入口３の下側の側壁１ａには空気が供給される空気室５が外側に設けられ、ベルトコンベア２の排出端から落下する廃棄物へ斜め上向きに空気を噴射するノズル６が空気室５に上下２段に設けられて、ノズル６の斜め上前方のケーシング１内に、後述する回動板７が設けられている。
【００１１】
また、前記ケーシング１の頂部には、噴射された空気をダストと一緒に排出する排気口８が設けられ、排気口８の下側には空気の下方への回り込みを規制する規制板９が取り付けられている。さらに、回収口４ａ、４ｂ間の分岐部には、傾動および伸縮が可能な上向の分岐板１０が設けられ、その先端に沿って回転ローラ１１が取り付けられている。
【００１２】
図２（ａ）、（ｂ）に示すように、前記上段側のノズル６は扁平で先端側が斜め上向きに屈曲しており、両サイドに設けられた軸部６ａをＵバンド１２でケーシング１の側壁１ａに回動自在に取り付けられ、上面に設けられた一対の吊り部６ｂを、空気室５の天板を貫通する吊り金具１３で所定の回動位置に固定されて、ノズル６の先端が側壁１ａに設けられたスリット１４からケーシング１内に挿入されている。図示は省略するが、下段側のノズル６も同様の形態に形成されており、上面の吊り部６ｂの替りに、下面に一対の支持部が設けられ、空気室５の底板を貫通する支持金具で所定の回動位置に固定されている点のみが異なる。
【００１３】
図３（ａ）、（ｂ）に示すように、前記回動板７は、水平な回動軸７ａに取り付けられた基板７ｂにスライド可能なスライド板７ｃを取り付けたものであり、先端側へ伸縮可能とされている。回動軸７ａはケーシング１の幅方向の側壁１ａに差し渡されて、両端部を軸受１５で回動自在に支持され、回動軸７ａの一端側に取り付けられたレバー１６を介して、油圧シリンダ１７で回動されるようになっている。なお、スライド板７ｃは両端部に長孔１８を設けられ、この長孔１８とボルト１９による基板７ｂへの係止位置を変えることにより、スライド位置を調整されるようになっている。
【００１４】
上述した風力選別装置で、重量物が混じった廃棄物を処理するときは、図１中に実線で示したように、回動板７がノズル６側に向けて垂直面内で回動され、この回動板７に沿って導かれるノズル６からの噴射空気の風力で、ベルトコンベア２の排出端から落下する廃棄物のうち、プラスチックや紙等の軽量物が遠方側の回収口４ｂに回収され、缶や瓶等の重量物はそのまま落下して直下の回収口４ａに回収される。このとき、前記分岐部の分岐板１０は、重量物と軽量物の分岐点が最適な状態となるように、その傾動量と伸縮量を調整できる。また、回転ローラ１１は時計回りに回転駆動され、分岐板１０の先端に引っ掛かるプラスチックシート等を軽量物の回収口４ｂへ落下させる。
【００１５】
一方、重量物が混じらない紙容器等の廃棄物を処理するときは、前記空気室５への空気の供給が止められてノズル６からの空気の噴射が停止されるとともに、図１中に二点鎖線で示すように、回動板７が軽量物の回収口４ｂに向けて斜め下向きに回動され、回動板７をシュートとして全ての廃棄物が回収口４ｂに回収される。このとき、回動板７は、廃棄物の一部が重量物の回収口４ａに落下しないように、スライド板７ｃのスライド位置を変えて先端側への伸縮量を調整できる。スライド板７ｃのスライド位置は変化させずに、図１中に二点鎖線で示すように、分岐板１０を回動板７の下方へ傾動させ、分岐板１０を補助シュートとして使用してもよい。
【００１６】
上述した実施形態では、扁平なノズルを上下２段に設け、その空気噴射口を斜め上向きとしたが、ノズルは必ずしも上下２段に設ける必要はなく、その空気噴射口も水平方向に向けてもよい。また、ノズルへの空気の供給形態も実施形態の空気室を設けたものに限定されることはなく、空気配管から直接ノズルに空気を供給することもできる。さらに、廃棄物等の処理物の回収口は３つ以上に分岐させてもよい。
【図面の簡単な説明】
【００１７】
【図１】風力選別装置の実施形態を示す縦断面図
【図２】ａは図１の空気室を示す一部省略縦断面図、ｂはａのノズルを示す外観斜視図
【図３】ａは図1の回動板を示す正面図、ｂはａの側面図
【符号の説明】
【００１８】
１  ケーシング
１ａ  側壁
２  ベルトコンベア
３  投入口
４ａ、４ｂ  回収口
５  空気室
６  ノズル
６ａ  軸部
６ｂ  吊り部
７  回動板
７ａ  回動軸
７ｂ  基板
７ｃ  スライド板
８  排気口
９  規制板
１０  分岐板
１１  回転ローラ
１２  Ｕバンド
１３  吊り金具
１４  スリット
１５  軸受
１６  レバー
１７  油圧シリンダ
１８  長孔
１９  ボルト
【図１】
2005246236.tif 000003
【図２】
2005246236.tif 000004
【図３】
2005246236.tif 000005